(57)【要約】【課題】これまでの雪庇対策は、屋根の風下側にフェンスを設置して雪庇が出来にくくするものと、成長した雪庇を、ロープを下から手動で動かして切り落とすものとがあるが、両者とも材料費・工事費・維持費が高いうえ、家屋の構造に負荷をかける等の問題がある。本発明は、風力によって自動的に動作し、低費用で簡単な構成の雪庇生成防止装置を提供することを要旨とする。【解決手段】建物の両側面に設置された一対の風受体と、一対のカッタ作動体と、該一対のカッタ作動体間に張られたカッタとを具備し、雪庇の生成を幇助する風が吹くと、前記風受体の両端部は支点を中心として円弧状に動き、これと摺接する前記カッタ作動体の両端部も、支点を中心として円弧状に動き、前記カッタ作動体の一の端部に接続されたカッタが、屋根の端辺部と平行に上下方向に動作し、雪庇を切り落とす。【選択図】図２
2014214564.tif 000002
【特許請求の範囲】
【請求項１】
建物の両側の側面に設置する雪庇生成防止装置であって、
風力を受けて動作する一対の風受体と、
前記風受体の動作に促されて動作する一対のカッタ作動体と、
前記一対のカッタ作動体間に設置されて前記カッタ作動体の動作に促されて動作して雪庇を切り落とすカッタと、
を具備することを特徴とする雪庇生成防止装置。
【請求項２】
前記１対の風受体は羽部と前記羽部を支える支柱部を有し、前記羽部に受ける風力を受けて前記支柱部上の一点を支点とする支点運動を行うことにより、前記支柱部の一の端部が前記カッタ作動体の動作を促すことを特徴とする請求項１記載の雪庇生成防止装置。
【請求項３】
前記一対のカッタ作動体は短辺部と長辺部とを有するＬ字型であって、前記短辺部が、前記風受体の前記支柱部の一の端部の動作に促されてＬ字型の折れ曲り部を支点とする支点運動を行うことにより、前記カッタ作動体の前記長辺部の端部に設置された前記カッタの上下円弧運動を促すことを特徴とする請求項１又は２記載の雪庇生成防止装置。
【請求項４】
前記雪庇を切り落とすカッタは、樹脂製のロープ又は鋼線であることを特徴とする請求項１乃至３のいずれかに記載の雪庇生成防止装置。
【発明の詳細な説明】
【技術分野】
【０００１】
本発明は、屋根の縁に雪庇が生成されることを防止する装置に関する。
【背景技術】
【０００２】
雪庇は、建造物の屋根上に積もった雪が風の影響を受け、風下側の端辺に迫り出し垂れ下がってくる現象で、放っておくと大きな事故につながるため、毎年、雪国の多くの住宅を悩ませている。
【０００３】
現在一般的に実施されている対策は、「フェンス方式」と「カット方式」に類別される。「フェンス方式」とは、屋根の風下側の雪庇のでき易い所に何らかの形状のフェンスを設置し、風の流れを変えて雪庇が出来にくくするものである。一方、「カット方式」とは、成長してしまった雪庇を、あらかじめ屋根の上にセットしておいたフレームに沿って、ロープを下から手動で動かし、端から順に切り落としていく方式である。
【先行技術文献】
【特許文献】
【０００４】
【特許文献１】特開平７−１６６６６２号公報
【特許文献２】特開２００５−９２３９号公報
【発明の概要】
【発明が解決しようとする課題】
【０００５】
前述の「フェンス方式」の例として特許文献１の発明がある。該発明は断面略逆Ｖ字形のフェンスを屋根の風下端辺に沿って設置することによって風の流れを上方向変え、雪庇の生成を防止するものであるが、設置するときの材料費・工事費が高くつくうえ、雨や雪に直接さらされるのでメンテナンスに注意と費用を要する。また、夏場の台風時などには強風を受けやすく家屋の構造に負荷をかける。さらに、設置に当たっては、風向・風速など、しっかり調査・設計をしないと、思ったほどの効果が得られないこともある。
【０００６】
特許文献２の発明は前述の「カット方式」の一例である。該発明においては、軒下の一箇所からロープを操作し、屋根の端辺に設置しておいたフレームに沿って、縦に張ったピアノ線状のカッタ部を横に移動させて、手動で雪庇を切り落としていくものであるが、雪庇の出来具合を頻繁にチェックしてその都度こまめに切り落とし作業をしていないと、雪庇が大きくなってからでは動作しない恐れがあるうえに、装置の取り付け方によっては屋根を傷つけたり、強風時に生ずるロープと風との摩擦音が、近所迷惑を引き起こす可能性もある。
【０００７】
本発明は、風力によって自動的に動作し、家屋の構造に負担をかけることがない低費用で簡単な構成の雪庇生成防止装置を提供することを要旨とする。
【課題を解決するための手段】
【０００８】
雪庇には次の２点の特質がある。（１）雪庇は風がないと出来ない。（２）雪庇は成長してしまうと処理するのが大変だが、初期段階だと簡単に落とせる。
本発明は、以上の雪庇の特質を考慮し、雪庇の生成を幇助する風が吹くときに、図１に示す矢印の位置に矢印の動きをするカッタを設置することにより、初期段階の雪庇の成長を防止するものである。以下、詳しく説明する。
【０００９】
本装置は、図３及び図４に示すように、屋根の風下側端辺近くの建物の両側面に設置された一対の風受体と、該風受体と同面上の至近距離内に設置された同じく一対のＬ字型のカッタ作動体と、該一対のＬ字型のカッタ作動体間に張られたロープ状のカッタとから成り、前記風受体と前記Ｌ字型のカッタ作動体はそれぞれの両端部が中央部付近を支点として円弧状に動作するように、該中央部付近が建物の側面に固定され、その作動範囲は同じく建物の側面に設置された複数のストッパーによって制限されている。
【００１０】
上記の構成のもとで、図３で示すように雪庇の生成を幇助する風が吹くと、風受体の両端部は支点を中心として矢印の方向に円弧状に動き、これと接触するＬ字型のカッタ作動体の両端部も、支点を中心として、風受体の端部とは反対方向に円弧状に動く。このとき、建物の両側面に固定されている一対の風受体は互いに屋根の幅の距離しか離れていないことから、同じ風を受け、同じ動きをする。その結果、一対のＬ字型のカッタ作動体はＬ字の頂部を持ち上げ、頂部に固定されたカッタは、屋根の端辺部と平行に、上方向に動作する。
【００１１】
風が収まると、又は風の向きが変わると、Ｌ字型のカッタ作動体はカッタと作動体長辺部の重さにより頂部を下げ、カッタも、今度は、下方向に動作する。同時に風受体も風が吹いたときとは反対方向に動作し、元の位置に戻り、次の風を待つ。
【００１２】
このようにして、雪庇の生成を幇助する風の有無により、屋根の端辺部と平行に至近距離内に設置されたカッタが上下方向に動作するため、雪庇は成長の初期段階でカットされて成長することはない。幇助風が吹かなければカッタは動かないが、幇助風が吹かなければ雪庇は生成されることはない。
【発明の効果】
【００１３】
本装置の設置により、雪庇を生成の初期段階で風の力を使い自動的に落とすことができるため、手を煩わすことなく雪庇崩落の危険を防止することができるようになる。
【００１４】
本装置はプラスチック等の材料を用いて簡単に作成できることから、材料費、工事費を節約できるうえ、維持費もほとんどかからない。
【００１５】
雪のない季節には風受体の羽部を抜いておくだけで装置は作動せず、メンテナンスの必要はほとんどない。また、取り付ける場所が建物の側面であるため、屋根への負担も生じない。
【図面の簡単な説明】
【００１６】
【図１】雪庇生成される様子を示す横断面図である。
【図２】本装置全体の構成を示す斜視図である。
【図３】本装置が作動する様子を示す斜視図である。
【図４】本装置が作動する様子を示す平面図（建物の側面）である。
【発明を実施するための形態】
【００１７】
以下に、本発明の雪庇生成防止装置の一実施例について説明する。
本装置は、図２に示すように、建物の両側面に設置された一対の風受体4と、風受体４と同面上で至近距離内に設置された同じく一対のＬ字型のカッタ作動体５と、一対のＬ字型のカッタ作動体間に設置されたカッタ６と、風受体とカッタ作動体の作動範囲を制限するための複数のストッパー７と、から成る。
【００１８】
図３に示すように、風受体４は風を受ける羽部４１と、羽部４１を支える支柱部４２から成り、支柱部４２の端部４３が羽部４１の動作に対応して支点４４を中心とする円弧状の動きをするように、支点４４において建物の側面に固定されている。一方、Ｌ字型のカッタ作動体５は短辺部５１と長辺部５２から成り、端部５４が端部５３の動作に対応して支点５５を中心とする円弧状の動きをするように支点５５において建物側面に固定されている。
さらに、Ｌ字型のカッタ作動体５の端部５４には、初期段階の雪庇を切断するためのカッタ６が取り付けられており、カッタ６の他の端は、建物の反対側の側面に設置されたもう一方のＬ字型のカッタ作動体５の端部５４に取り付けられている。
【００１９】
風受体４、Ｌ字型のカッタ作動体５、複数のストッパー７の材質は、軽量で錆びることがないプラスチック等の部材を使用することができる。また、カッタ６の材質は手軽さを考え、汎用のナイロン製又はビニロン製のロープを使用することができるが、入手可能な場合には炭素鋼製のピアノ線を使用することも可能である。さらに、風受体４の支柱部４２及びカッタ作動体５の短辺部５１・長辺部５２の形状は、図では角材を使用しているが、着雪防止の観点からパイプ型とすることも可能である。
【００２０】
上記の構成において、図３で示すように雪庇３の生成を幇助する風が吹くと、風受体４の羽部４１は風を受けて、風下側に向けて円弧状に動く。これに対応して、支柱部４２の端部４３は、支点４４を中心に円弧状に動き、Ｌ字型のカッタ作動体５の短辺部５１を摺接しながら、作動体５の端部５３を風上方向に円弧状に動作させる。さらに端部５３の動きに対応し、端部５４は支点５５を中心に円弧状に上方に動き、端部５４に取り付けられたカッタも同じく上方向に動く。
【００２１】
一方、雪庇３の生成を幇助する風の向きと強さは、屋根の両端で大きく変わらないことから、建物両側面に設置された１対の風受体及びＬ字型のカッタ作動体５は同じ動きをし、端部５４に取り付けられたカッタ６は、屋根の風下側の端辺１１と平行に、水平状態を保ちつつ上方向に動く。
【００２２】
風が収まると、又は風の向きが変わると、カッタ６は、自らの重さとＬ字型のカッタ作動体５の長辺部５２の重さにより、下方向に動く。
【００２３】
上述したカッタ６の上下方向への動きが繰り返されることにより、雪庇はカッタ６の円弧状の可動範囲より外側に成長することはない。
【００２４】
本発明の有する多くの特徴、及び優れた点を、発明の構造と機能の詳細をあげて上記実施例に記載したが、すべての実施例を記載することはできない。本発明は、本発明の原理の範囲内で、細かな点、特に形状、材料、大きさ及び部品の配置を変更しての実施が可能である。
【符号の説明】
【００２５】
１    屋根
１１  屋根の風下側の端辺
２    建物の側面
３    雪庇
４    風受体
４１  羽部
４２  支柱部
４３  支柱部の端部
４４  風受体の支点（取付部）
５    カッタ作動体
５１  短辺部
５２  長辺部
５３  短辺部の端部
５４  長辺部の端部
５５  カッタ作動体の支点（取付部）
６    カッタ
７    ストッパー
【図１】
2014214564.tif 000003
【図２】
2014214564.tif 000004
【図３】
2014214564.tif 000005
【図４】
2014214564.tif 000006